(57)【要約】    【課題】  主通信装置と従通信装置からなる通信システムにおいて待機時の低消費電力と動作時高速通信を実現する。    【解決手段】  主通信装置の制御手段は通信開始時に第１の通信手段を使用し従通信装置と通信を行い、従通信装置と通信可能と判断すると、主通信装置の第２の通信手段を起動させるとともに従通信装置の第２の通信手段を起動させる信号を送信し、以後第２の通信手段を用いて通信を行い、従通信装置の制御手段は第１の通信手段により通信を行うとともに、主通信装置からの第２の通信手段の起動信号を受信すると、第２の通信手段を起動させ、主通信装置の制御手段は通信終了時に主通信装置の制御手段は第１の通信手段、又は第２の通信手段を用いて従通信装置に第２の通信手段の動作停止信号を送信するとともに、主通信装置の第２の通信手段の動作を停止し、従通信装置の制御手段は第２の通信手段動作停止信号を受信すると、第２の通手段の動作を停止する。【選択図】      図１
2005150963.tif 000002
【特許請求の範囲】
【請求項１】
低消費電力の第１の通信手段と第１の通信手段より通信速度が高速の第２の通信手段と
制御手段とを有する主通信装置と、低消費電力の第１の通信手段と第１の通信手段より通信速度が高速の第２の通信手段と、制御手段とを有し、主通信装置からの通信に応答する従通信装置からなる通信システムにおいて、前記主通信装置の制御手段は通信開始時に第１の通信手段を使用し従通信装置と通信を行い、従通信装置と通信可能と判断すると、主通信装置の第２の通信手段を起動させるとともに従通信装置の第２の通信手段を起動させる信号を送信し、以後第２の通信手段を用いて通信を行い、前記従通信装置の制御手段は第１の通信手段により通信を行うとともに、主通信装置からの第２の通信手段の起動信号を受信すると、第２の通信手段を起動させ、前記主通信装置の制御手段は通信終了時に主通信装置の制御手段は第１の通信手段、又は第２の通信手段を用いて従通信装置に第２の通信手段の動作停止信号を送信するとともに、主通信装置の第２の通信手段の動作を停止し、前記従通信装置の制御手段は第２の通信手段動作停止信号を受信すると、第２の通手段の動作を停止することを特徴とする通信システム。
【請求項２】
前記通信終了は主通信装置の電源オフ時に連動することを特徴とする請求項１の通信システム。
【請求項３】
前記通信終了は主通信装置の省電力モードに移行時に連動することを特徴とする請求項１の通信システム。
【請求項４】
低消費電力の第１の通信手段と第１の通信手段より通信速度が高速の第２の通信手段と
制御手段とを有する主通信装置と、低消費電力の第１の通信手段と第１の通信手段より通信速度が高速の第２の通信手段と、制御手段とを有し、主通信装置からの通信に応答する従通信装置からなる通信システムにおいて、前記主通信装置の制御手段は通信開始時に第１の通信手段を使用し従通信装置と通信を行い、従通信装置と通信可能と判断すると、主通信装置の第２の通信手段を起動させるとともに従通信装置の第２の通信手段を起動させる信号を送信し、以後第２の通信手段を用いて通信を行い、前記従通信装置は第１の通信手段が通信信号を受信すると、従通信装置の制御手段の停止時は該制御手段に起動信号を出力し、該制御手段が動作中は第１の通信手段を用いて主通信装置と通信を行うとともに、主通信装置からの第２の通信手段の起動信号を受信すると、第２の通信手段を起動させ、前記主通信装置の制御手段は第２の通信手段での通信終了時、主通信装置の制御手段は第１の通信手段、又は第２の通信手段を用いて従通信装置に第２の通信手段の動作停止信号を送信するとともに、主通信装置の第２の通信手段の動作を停止し、前記従通信装置の制御手段は第２の通信手段動作停止信号を受信すると、第２の通手段の動作を停止させ、前記主通信装置の制御手段は第１の通信手段での通信終了時に主通信装置の制御手段は第１の通信手段、又は第２の通信手段を用いて従通信装置に第１の通信手段の待機信号を送信するとともに、主通信装置の第１の通信手段の動作を停止し、前記従通信装置の制御手段は第１の通信手段の待機信号を受信すると、第１の通信手段の動作を待機状態とし、該制御手段も第１の通信手段からの起動信号によって起動を行う待機状態とすることを特徴とする通信システム。
【請求項５】
前記第２の通信手段での通信終了は、主通信装置の省電力モードに移行時に連動することを特徴とする請求項４の通信システム。
【請求項６】
前記第１の通信手段での通信終了は、主通信装置の電源オフ時に連動することを特徴とする請求項４の通信システム。
【請求項７】
前記第１の通信手段と第２の通信手段は電波を用いた通信手段であることを特徴とする請求項１又は請求項４の通信システム。
【請求項８】
前記第１の通信手段は電波を用いた通信手段であり、第２の通信手段は光を用いた通信手段であることを特徴とする請求項１又は請求項４の通信システム。
【請求項９】
前記従通信装置の第１の通信手段は電源を主送信装置の第１の通信手段から出力される電力波により供給されることを特徴とする請求項１又は請求項４の通信システム。
【請求項１０】
前記主通信装置はカメラであり、従通信装置はレンズ、閃光装置、リモートコントローラ、プリンタ等のカメラと通信を行うカメラアクセサリであることを特徴とする請求項１又は請求項４の通信システム。
【請求項１１】
前記従通信装置の制御手段は所定時間、主通信装置からの通信を受信しない場合に、従通信装置の第２の通信手段を停止する事を特徴とする請求項１又は請求項４の通信システム。
【発明の詳細な説明】
【技術分野】
【０００１】
本発明は主通信装置と従送信装置間での無線通信と、無線通信手段の電源制御に関するものである。
【背景技術】
【０００２】
従来、携帯型端末における通信手段の制御に関する提案（特許文献１参照）においては、高速の受信回路と低速の送受信回路を有する無線端末と基地局の構成において、高速のサービスエリアに入ると無線端末の高速受信回路をＯＮ、高速のサービス終了直後に無線端末の高速受信回路電源ＯＦＦするものであり。無線端末のみの高速受信回路の制御についての特許であった。
【特許文献１】特開２００２−１３５２０３号公報
【発明の開示】
【発明が解決しようとする課題】
【０００３】
しかしながら、前記従来の技術では基地局自体は無線通信手段の電源はＯＮのままであり、この従来技術を携帯端末同士の通信に応用しても、一方の無線通信手段の電源制御のみしか解決できず、携帯型コンピュータと携帯型プリンタや、カメラとそのアクセサリであるレンズなど、主通信装置と従通信装置の両方ともバッテリーにて駆動する通信機器間においては、一方の省電力だけしか解決できず、他方のバッテリーの省電力化に対し不十分であるという問題があった。
【０００４】
本発明の目的は前記問題点を解決することにある。
【課題を解決するための手段】
【０００５】
上記目的を解決するために、本発明における第１の発明においては、低消費電力の第１の通信手段と第１の通信手段より通信速度が高速の第２の通信手段と、制御手段とを有し、使用者が主に操作を行う主通信装置と、低消費電力の第１の通信手段と第１の通信手段より通信速度が高速の第２の通信手段と、制御手段とを有し、主に主通信装置からの通信に応答する従通信装置からなる通信システムにおいて、前記主通信装置の制御手段は通信開始時に第１の通信手段を使用し従通信装置と通信を行い、従通信装置と通信可能と判断すると、主通信装置の第２の通信手段を起動させるとともに従通信装置の第２の通信手段を起動させる信号を送信し、以後第２の通信手段を用いて通信を行い、前記従通信装置の制御手段は第１の通信手段により通信を行うとともに、主通信装置からの第２の通信手段の起動信号を受信すると、第２の通信手段を起動させ、前記主通信装置の制御手段は通信終了時に主通信装置の制御手段は第１の通信手段、又は第２の通信手段を用いて従通信装置に第２の通信手段の動作停止信号を送信するとともに、主通信装置の第２の通信手段の動作を停止し、前記従通信装置の制御手段は第２の通信手段動作停止信号を受信すると、第２の通手段の動作を停止することを特徴とする。
【０００６】
第２の発明においては、第１の発明に於ける、通信終了時は主通信装置の電源オフ時に連動することを特徴とする。
【０００７】
第３の発明においては、第１の発明に於ける、通信終了時は主通信装置の省電力モードに移行時に連動することを特徴とする。
【０００８】
第４の発明においては、低消費電力の第１の通信手段と第１の通信手段より通信速度が高速の第２の通信手段と、制御手段とを有し、使用者が主に操作を行う主通信装置と、低消費電力の第１の通信手段と第１の通信手段より通信速度が高速の第２の通信手段と、制御手段とを有し、主に主通信装置からの通信に応答する従通信装置からなる通信システムにおいて、前記主通信装置の制御手段は通信開始時に第１の通信手段を使用し従通信装置と通信を行い、従通信装置と通信可能と判断すると、主通信装置の第２の通信手段を起動させるとともに従通信装置の第２の通信手段を起動させる信号を送信し、以後第２の通信手段を用いて通信を行い、前記従通信装置は第１の通信手段が通信信号を受信すると、従通信装置の制御手段の停止時は該制御手段に起動信号を出力し、該制御手段が動作中は第１の通信手段を用いて主通信装置と通信を行うとともに、主通信装置からの第２の通信手段の起動信号を受信すると、第２の通信手段を起動させ、前記主通信装置の制御手段は第２の通信手段での通信終了時、主通信装置の制御手段は第１の通信手段、又は第２の通信手段を用いて従通信装置に第２の通信手段の動作停止信号を送信するとともに、主通信装置の第２の通信手段の動作を停止し、前記従通信装置の制御手段は第２の通信手段動作停止信号を受信すると、第２の通手段の動作を停止させ、前記主通信装置の制御手段は第１の通信手段での通信終了時に主通信装置の制御手段は第１の通信手段、又は第２の通信手段を用いて従通信装置に第１の通信手段の待機信号を送信するとともに、主通信装置の第１の通信手段の動作を停止し、前記従通信装置の制御手段は第１の通信手段の待機信号を受信すると、第１の通信手段の動作を待機状態とし、該制御手段も第１の通信手段からの起動信号によって起動を行う待機状態とすることを特徴とする。
【０００９】
第５の発明においては、第４の発明における第２の通信手段での通信終了時は、通信装置の省電力モードに移行時に連動することを特徴とする。
【００１０】
第６の発明においては、第４発明における第１の通信手段での通信終了時は主通信装置の電源オフ時に連動することを特徴とする。
【００１１】
第７の発明においては、第１及び第４の発明に於ける第１の通信手段と第２の通信手段は電波を用いた通信手段であることを特徴とする。
【００１２】
第８の発明においては、第１の発明及び第４の初恵名に於ける第１の通信手段は電波を用いた通信手段であり、第２の通信手段は光を用いた通信手段であることを特徴とする。
【００１３】
第９の発明においては、第１の発明及び第４の発明における、従通信装置の第１の通信手段は電源を主送信装置の第１の通信手段から出力される電力波により供給されることを特徴とする。
【００１４】
第１０の発明においては、第１の発明及び第４の発明に於ける主通信装置はカメラであり、従通信装置はレンズ、閃光装置、リモートコントローラ、プリンタ等のカメラと通信を行うカメラアクセサリであることを特徴とする。
【００１５】
第１１の発明においては、第１及び第４の発明に於ける従通信装置の制御手段は所定時間、主通信装置からの通信を受信しない場合に、従通信装置の第２の通信手段を停止する事を特徴とする。
【発明の効果】
【００１６】
以上説明した要に第１の発明においては、通信終了時は高速通信可能な第２の通信手段を停止し、通信開始時は第１の通信手段との通信後第２の通信手段を起動し高速通信が可能となる。つまり、待機時の省電力と通信時の高速通信の両立が主通信装置と従通信装置の間の通信システムにおいて可能となる。
【００１７】
第２の発明では主通信装置の電源ＯＦＦに同期して高速の第２の通信手段を停止させることが可能となる。
【００１８】
第３の発明では主通信装置の省電力モードの移行に同期して高速の第２の通信手段を停止させることが可能となる。
【００１９】
第４の発明においては、通信終了時は高速の第２の通信手段の停止に加え、低消費電力の第１の通信手段と制御手段のより消費電力の低い待機状態で待機する事と通信時の高速通信が可能となる。
【００２０】
第５の発明においては、第４の発明における高速の第２の通信手段の停止が主通信装置の省電力モードと同期させることが可能となる。
【００２１】
第６の発明においては、第４の発明における、低消費の第１の通信手段と制御手段を更に省電力の待機状態への移行と主通信装置の電源ＯＦＦと同期させることが可能となる。
【００２２】
第７の発明においては第１、第４の発明の第１、第２の通信手段を電波での通信手段で構成することにより、主通信手段であるカメラと、従通信手段であるカメラアクセサリの接続端子の減少及び、待機時省電力と通信時の高速通信が可能となる。
【００２３】
第８の発明においては第１、第４の発明の第１通信手段を電波での通信手段、第２の通信手段を光りでの通信手段で構成することにより、主通信手段であるカメラと、従通信手段であるカメラアクセサリの接続端子の減少及び、待機時省電力と通信時の高速通信が可能となる。
【００２４】
第９の発明においては、従通信手段の第１の通信手段の待機時の電力をより小さくすることが可能となる。
【００２５】
第１０の発明においては、主通信装置であるカメラと従通信装置であるカメラアクセサリ間で、待機時の省電力と通信時の高速通信が可能となる。
【００２６】
第１１の発明においては、主通信装置の異常時にも、従通新装置の消費電流の低下が実現可能となる。
【発明を実施するための最良の形態】
【００２７】
（第１の実施の形態）
図１は本発明の第１の実施の形態における、構成を表すブロック図であり、以下順を追って説明する。
【００２８】
１０００は主送信装置にあたるカメラ、１２００は従送信装置にあたるレンズ等のカメラアクセサリであり、カメラ１０００とカメラアクセサリ１２００は接続部材１１００で接続されている。
【００２９】
カメラ１０００内の構成は、１００１は電源である電池、１００２は電池電圧を昇圧や、低電圧に降圧、または接続や切断する電源手段である。図１では電源手段の出力は１系統であるが複数出力であって構わない。また電源手段の出力とＧＮＤは接続部材１１００を介してカメラアクセサリ１２００に供給される。
【００３０】
１００３はカメラの制御手段であるマイクロコンピュータ（以下カメラマイコン）であり、１００４はカメラの操作部材である。
【００３１】
１０１０は待機時、動作時を含めて低消費電力である第１の通信手段、１０１１は第１の通信手段のアンテナ、１０１２はカメラマイコン１００３と第１の通信手段１０１０間の通信端子並びに制御端子群である。
【００３２】
１０２０は第１の通信手段１０１０より高速通信可能な第２の通信手段、１０２１は第２の通信手段１０２０のアンテナ、１０２２はカメラマイコン１００３と第２の通信手段１０２０間の通信端子並びに制御端子群である。
【００３３】
１０３０は表示手段、シャッター制御手段、測光手段等、その他のカメラの動作手段である。
【００３４】
次にカメラアクセサリ１２００の構成を説明する。１２０１はカメラアクセサリの制御手段であるマイクロコンピュータ（以下アクセサリマイコン）、１２１０は待機時、動作時を含めて低消費電力であるアクセサリ側の第１の通信手段でカメラ側の第１の通信手段１０１０との無線通信を行う、１０２１はアクセサリ側の第１の通信手段１２１０のアンテナ、１２１２はアクセサリマイコン１２０１とアクセサリ側の第１の通信手段１２１０間の通信端子並びに制御端子群である。
【００３５】
１２２０は第１の通信手段１２１０より高速通信可能なアクセサリ側の第２の通信手段でカメラ側の第２の通信手段１０２０と無線通信を行う、１２２１はアクセサリ側の第２の通信手段１２２０のアンテナ、１２２２はアクセサリマイコン１２０１とアクセサリ側の第２の通信手段１２２０間の通信端子並びに制御端子群である。
【００３６】
接続部材１１００を介してカメラ側電源手段１００２から供給される電源はアクセサリマイコン１２０１、アクセサリ側の第１の通信手段１２１０、アクセサリ側第２の通信手段１２２０、不図示のアクセサリ側その他の動作手段に供給される。
【００３７】
なお、従通信装置における第１の通信手段１２１０は主通信装置の第１の通信手段１０１０か供給される電力波を受信して電源としてもよい。
【００３８】
さらに第２の通信手段は電波での通信としているが、発光素子と受光素子を用いた光通信であってもかまわない。
【００３９】
次にカメラマイコン１００３の動作の説明を図２のフローチャートを元に説明する。
【００４０】
非図示の電源スイッチ、又は操作手段１００４より起動信号をカメラマイコン１００３が受けると、起動動作を開始する。（Ｓ１０００）
Ｓ１００１で操作手段１００４からの入力を受け付ける。Ｓ１００２ではＳ１００１で受けた操作にともなうカメラアクセサリ１２００への通信が必要かを判断し、必要であればＳ１０１０に進み、必要なければＳ１００３に進む。
【００４１】
Ｓ１００３では通信以外の処理を行う、Ｓ１００４  非図示の電源スイッチのＯＦＦ、カメラの無操作状態の所定時間等、カメラアクセサリへの通信を終了させるかを判別し、通信を終了させる場合はＳ１０３０へ、そうでない場合はＳ１００１へ進む。
【００４２】
Ｓ１０１０ではカメラマイコン１００３はカメラ側の第２の通信手段１０２０が動作中かを検出し、動作中であればＳ１０１７に進み、動作中でなければＳ１０１１に進む。
【００４３】
Ｓ１０１１では、カメラマイコン１００３は第１の通信手段１０１０を用いてカメラアクセサリ１２００に対し通信を行う。Ｓ１０１２では第１の通信手段１０１０でカメラアクセサリ１２００との通信が可能であったかを判断し、可能であったのらなＳ１０１４に進み、不可能であったのならＳ１０１３に進む。
【００４４】
Ｓ１０１３ではカメラアクセサリ１２００との通信ＮＧ状態を記憶しＳ１００３へ進む、
Ｓ１０１４ではカメラ側の第２の通信手段１０２０を起動させる。Ｓ１０１５ではカメラの第１の通通信手段１０１０を用いてカメラアクセサリ側の第２の通信手段１２２０を起動させる通信を行う。
【００４５】
Ｓ１０１６においては、カメラアクセサリ側の第２の通信手段１２２０が起動する時間ＷＡＩＴする、Ｓ１０１７ではカメラ側の第２の通信手段１０２０を用いてカメラアクセサリ１２００と高速通信を行う、Ｓ１０１８においてはカメラアクセサリ１２００と第２の通信手段１０２０で通信が可能であったかを判別し、ＮＧであればＳ１０１９へ進み、ＯＫであればＳ１００３に進む。
【００４６】
Ｓ１０１９ではカメラアクセサリ１２００との高速通信ＮＧ状態を記憶しＳ１００３へ進む。
【００４７】
Ｓ１０３０ではカメラ側の第２の通信手段１０２０が動作中かを検出し、動作中であればＳ１０４０に進み、停止中であればにＳ１０３１進む。
【００４８】
Ｓ１０４０ではカメラ側の第１の通信手段１０１０又は第２の通信手段１０２０を用いて、カメラアクセサリ側の第２の通信手段１２２０を停止させる信号を通信する。
【００４９】
Ｓ１０４１では、カメラ側の第２の通信手段１０２０を停止させＳ１０３１へ進む。
【００５０】
Ｓ１０３１ではその他の動作を停止させ、Ｓ１０３２でカメラマイコン１００３はスリープ状態とさせる。
【００５１】
以上カメラ側の動作フローを説明した、説明中の第１の通信手段１０１０を用いてカメラアクセサリ１２００へ通信を行った場合のカメラアクセサリ側のアクセサリマイコン１２０１の動作フローを図３、カメラ側の第２の通信手段１０２０を用いてカメラアクセサリへ通信を行った場合のカメラアクセサリの動作フローを図４に沿って以下に説明する。
【００５２】
カメラアクセサリ１２００の第１の通信手段１２１０がカメラからの通信を受けるとアクセサリマイコン１２０１に割り込みを発生させる。（図３のＳ２０００）
Ｓ２００１ではアクセサリ側の第１の通信手段１２１０を用いて、カメラアクセサリ１２００の状態等のデータを返信する。Ｓ２００２ではＳ２０００で受けた通信データがアクセサリ側の第２の通信手段１２２０を起動させる命令かを検出し、そうであればＳ２０１０へ、そうでなければＳ２００３へ進む。
【００５３】
Ｓ２０１０ではアクセサリ側の第２の通信手段１２２０を起動させＳ２００５へ進む
Ｓ２００３ではＳ２０００で受けた通信データがアクセサリ側の第２の通信手段１２２０を停止させる命令かを検出し、そうであればＳ２０２０へ進み、そうでなければＳ２００４へ進む。
【００５４】
Ｓ２０２０ではアクセサリマイコン１２０１はアクセサリ側の第２の通信手段１２２０を停止させＳ２００５に進む、Ｓ２００４ではその他の処理を行い、Ｓ２００５でメインルーチンへ戻る。
【００５５】
次にアクセサリマイコン１２０１がアクセサリ側の第２の通信手段１２２０が通信を受けた時に発生する割り込み処理を図４のＳ２１００から始まるフローに沿って説明する。
【００５６】
Ｓ２１００で割り込みスタート、Ｓ２１０１では第２の通信手段１２２０を用いて返信を行い、Ｓ２１０２ではＳ２１００で受けた通信データが第２の通信手段１２２０を停止させる命令かを検出し、そうであればＳ２１１０へ進み、そうでなければＳ２１０３へ進む、
Ｓ２１１０ではアクセサリ側の第２の通信手段１２２０の動作を停止させ、Ｓ２１０４へ進む、Ｓ２１０３ではその他の動作を行い、Ｓ２１０４に進む。
【００５７】
Ｓ２００４では異常動作等で所定時間以上カメラ側の第２の通信手段１０２０からの通信を受信しなかった場合にアクセサリ側の第２の通信手段１２２０の動作を停止させる為のカウンタをクリアし、Ｓ２１０５に進む。
【００５８】
Ｓ２１０５でメインルーチンへ戻る。
【００５９】
カメラ側の異常動作等で所定時間以上カメラ側の第２の通信手段１０２０からの通信を受信しなかった場合にアクセサリ側の第２の通信手段１２２０の動作を停止させる為のアクセサリマイコン１２０１の動作を図５のフローに沿って説明する。
【００６０】
アクセサリマイコン１２０１は所定間隔で割り込みを発生する。（図５の１３００）
Ｓ１３０１ではカウンタをインクリメントする。
【００６１】
Ｓ１３０２ではカメラ側の第２の通信手段１０２０からの通信を受信しなかった時間が所定時間以上かを判別し、所定時間以上であれば１３１０に進み、そうでなければＳ１３０３に進む。
【００６２】
Ｓ１３１０ではアクセサリ側の第２の通信手段１２２０を停止させる。
【００６３】
Ｓ１３１１ではアクセサリ側の第１の通信手段１２１０を用い主通信装置であるカメラ１０００に通信ＮＧ信号を送信し、Ｓ１３０３進む。
【００６４】
Ｓ１３０３で割り込み処理を終了する。
【００６５】
以上説明したように、通信終了時は高速の第２の通信手段を停止させ、通信開始時には低速の第１の通信手段で通信後に、高速の第２の通信手段を起動させている為に、通信していない状態での省電力と通信状態では高速の通信が実現可能となる。
【００６６】
更にカメラ側の異常等で、第２の通信手段の停止信号がこない場合でも、第２の通信手段からの通信が所定時間無い場合にアクセサリ側の第２の通信手段を停止する事が可能となる。
【００６７】
（第２の実施の形態）
第２の実施の形態における、主通信装置であるカメラ及び従通信装置であるカメラアクセサリの構成は図１の第１の実施例と同じである。
【００６８】
差異である動作を以下に説明する。
【００６９】
以下主通信装置であるカメラマイコン１００３の動作を図６のフローに沿って説明する。
【００７０】
非図示の電源スイッチ、又は操作手段１００４より起動信号をカメラマイコン１００３が受けると、起動動作を開始する。（Ｓ２０００）
Ｓ２００１で操作手段１００４を受け付ける。Ｓ２００２ではＳ２００１で受けた操作にともなうカメラアクセサリ１２００への通信が必要かを判断し、必要であればＳ２０１０に進み、必要なければＳ２００３に進む。
【００７１】
Ｓ２０１０ではカメラマイコン１００３はカメラ側の第２の通信手段１０２０が動作中かを検出し、動作中であればＳ２０４０に進み、動作中でなければＳ２０１１に進む。
【００７２】
Ｓ２０１１では、カメラマイコン１００３はカメラ側の第１の通信手段１０１０が起動中かを判断し、動作中ならＳ２０２０へ進み、そうでなけばＳ２０１２に進む。
【００７３】
Ｓ２０１２ではカメラ側の第１の通信手段１０１０を起動させ、Ｓ２０１３では第１の通信手段１０１０を用いてアクセサリ側の第１の通信手段１２１０へ起動信号を送信する。Ｓ２０１４ではアクセサリ側の第１の通信手段１２１０が起動する時間待機し、Ｓ２０２０へ進む。
【００７４】
Ｓ２０２０ではカメラ側の第１の通信手段１０１０を用いてカメラアクセサリ１２００に対し通信を行う。Ｓ２０２１ではカメラ側の第１の通信手段１０１０でカメラアクセサリ１２００との通信が可能であったかを判断し、可能であったのらなＳ２０３０に進み、不可能であったのならＳ２０２２に進む。
【００７５】
Ｓ２０２２ではカメラアクセサリ１２００との通信ＮＧ状態を記憶しＳ２００３へ進む、
Ｓ２０３０ではカメラ側の第２の通信手段１０２０を起動させる。Ｓ２０３１ではカメラ側の第１の通通信手段１０１０を用いてアクセサリ側の第２の通信手段１２２０を起動させる通信を行う。
【００７６】
Ｓ２０３２においては、アクセサリ側の第２の通信手段１２２０が起動する時間ウエイトし、ウエイト後Ｓ２０４０に進む。
【００７７】
Ｓ２０４０ではカメラ側の第２の通信手段１０２０を用いてカメラアクセサリ１２００と高速通信を行う、Ｓ２０４１においてはカメラアクセサリ１２００とカメラ側の第２の通信手段１０２０で通信が可能であったかを判別し、ＮＧであれば２０４２へ進み、ＯＫであればＳ２００３に進む。
【００７８】
Ｓ２０４２ではカメラアクセサリ１２００との高速通信ＮＧ状態を記憶しＳ２００３へ進む。
【００７９】
Ｓ２００３では通信以外の処理や、Ｓ２０２２又はＳ２０４２において通信ＮＧ状態を記憶していれば警告表示を行う。
【００８０】
Ｓ２００４では操作手段１００４からの操作が所定時間入力されないかを判断し、所定時間操作がされなければＳ２０６０に進み、そうでなければＳ２００５に進む。
【００８１】
Ｓ２００５では非図示の電源スイッチのＯＦＦが入力されるとＳ２０５０に進み、そうでないならＳ２００１に進む。
【００８２】
Ｓ２０６０ではカメラ側の第２の通信手段１０２０が動作中かを検出し、動作中であればＳ２０６３に進み、停止中であれば２０６１に進む。
【００８３】
Ｓ２０６３ではカメラ側の第１の通信手段１０１０又は第２の通信手段１０２０を用いて、カメラアクセサリ側の第２の通信手段１２２０を停止させる信号を通信する。
【００８４】
Ｓ２０６４では、カメラ側の第２の通信手段１０２０を停止させＳ２０６１へ進む。
【００８５】
Ｓ２０６１ではその他の動作を停止させ、Ｓ２０６２でカメラマイコン１００３を省電力状態とさせる。
【００８６】
Ｓ２０５０ではカメラ側の第１の通信手段１０１０又は第２の通信手段１０２０を用いて、カメラアクセサリ側の第１の通信手段１２１０の待機状態への移行通信と第２の通信手段１２２０の停止通信を行う。Ｓ２０５１ではカメラ側の第１の通信手段１０１０と第２の通信手段１０２０を停止させ、Ｓ２０５３ではカメラ１０００のその他の動作を停止させ、Ｓ２０５３においてカメラマイコン１００３を停止状態とさせる。
【００８７】
次にカメラアクセサリ１２００の動作を説明する。
【００８８】
まずは図６のＳ２０１３でカメラ側の第１の通信手段１０１０から、アクセサリマイコン１２０１が待機状態からアクセサリ側の第１の通信手段１２１０の起動信号を受けた場合の動作を図８のフローに沿って説明する。
【００８９】
Ｓ２５００では第１通信手段１２１０は動作を開始するとともにアクセサリマイコン１２０１に起動の割り込みを発生させる。
【００９０】
Ｓ２５０１でアクセサリマイコン１２０１の動作を開始させる。
【００９１】
Ｓ２５０１で割り込み処理を終了する。
【００９２】
以上でクセサリマイコン１２０１の停止状態、アクセサリ側の第１の通信手段１２１０の待機状態からの復帰が可能となる。
【００９３】
その後のカメラアクセサリ側の第１の通信手段１２１０を用いたカメラ１０００とカメラアクセサリ１２００の通信動作を図７のフローに沿って説明する。
【００９４】
カメラ側の第１の通信手段１０１０から通信を受信すると通信割り込みスタート（Ｓ２１００）、Ｓ２１０１ではアクセサリ側の第１の通信手段１２１０でカメラ１０００に返信を行う。
【００９５】
Ｓ２１０２ではカメラ１０００より受信したコマンドがアクセサリ側の第２の通信手段１２２０の起動信号であればＳ２１１０に進み、そうでなければＳ２１０３に進む。
【００９６】
Ｓ２１１０ではアクセサリ側の第２の通信手段１２２０を起動させＳ２１０６に進む。
【００９７】
Ｓ２１０３ではカメラ１０００より受信したコマンドがアクセサリ側の第２の通信手段１２２０の停止信号であればＳ２１２０に進み、そうでなければＳ２１０４に進む。
【００９８】
Ｓ２１２０ではアクセサリ側の第２の通信手段１２２０を停止させＳ２１０６に進む。
【００９９】
Ｓ２１０４ではカメラ１０００より受信したコマンドがアクセサリ側の第１の通信手段１２１０の待機状態への移行信号であればＳ２１３０に進み、そうでなければＳ２１０５に進む。
【０１００】
Ｓ２１３０ではアクセサリ側の第１の通信手段１２１０を待機状態させＳ２１３１に進む。
【０１０１】
Ｓ２１３１ではカメラアクセサリの制御手段１２０３の動作を停止させ、アクセサリ側の第１の通信手段１２１０からの起動信号による割り込みがかかると起動する状態にする。
【０１０２】
Ｓ２１０５ではカメラアクセサリ１２００のその他の動作を行いＳ２１０６に進む。
【０１０３】
Ｓ２１０６では通信割り込み処理を終了する。
【０１０４】
なお、アクセサリ側の第２の通信手段１２２０による割り込み処理は第１の実施例に於ける図４のフローの動作と同じなので説明は省略する。
【０１０５】
以上説明したように電源ＯＦＦ時はアクセサリ側の第２の通信手段１２２０とアクセサリマイコン１２０１は動作停止、アクセサリ側の第１の通信手段１２１０も待機状態となっているので第１の実施の形態以上に省電力の状態とする事が可能となっている。
【図面の簡単な説明】
【０１０６】
【図１】本発明の第１及び第２の実施の形態における主通信装置と従通新装置の構成を表すブロック図である。
【図２】本発明の第１の実施の形態における、主通信装置であるカメラの動作を表すフローチャートである。
【図３】本発明の第１の実施の形態における、従通信装置であるカメラアクセサリの通信割り込み動作を表すフローチャートである。
【図４】本発明の第１の実施の形態における、従通信装置であるカメラアクセサリの通信割り込み動作を表すフローチャートである。
【図５】本発明の第１の実施の形態における、従通信装置であるカメラアクセサリのタイマ割り込み動作を表すフローチャートである。
【図６】本発明の第２の実施の形態における、主通信装置であるカメラの動作を表すフローチャートである。
【図７】本発明の第２の実施の形態における、従通信装置であるカメラアクセサリの通信割り込み動作を表すフローチャートである。
【図８】本発明の第２の実施の形態における、従通信装置であるカメラアクセサリの起動割込み動作を表すフローチャートである。
【符号の説明】
【０１０７】
１０００    カメラ
１００３    カメラマイコン
１０１０    カメラ側の第１の通信手段
１０１１    カメラ側の第１の通信手段のアンテナ
１０２０    カメラ側の第２の通信手段
１０２１    カメラ側の第２の通信手段のアンテナ
１１００    カメラとカメラアクセサリの接続部
１２００    カメラアクセサリ
１２０１    アクセサリマイコン
１２１０    アクセサリ側の第１の通信手段
１２１１    アクセサリ側の第１の通信手段のアンテナ
１２２０    アクセサリ側の第２の通信手段
１２２１    アクセサリ側の第２の通信手段のアンテナ
【図１】
2005150963.tif 000003
【図２】
2005150963.tif 000004
【図３】
2005150963.tif 000005
【図４】
2005150963.tif 000006
【図５】
2005150963.tif 000007
【図６】
2005150963.tif 000008
【図７】
2005150963.tif 000009
【図８】
2005150963.tif 000010